(57)【要約】【課題】視聴者に受動的にタイムリーに嗜好番組情報を告知する。【解決手段】ディジタル放送波を復調して表示装置から映像および音声を出力する受信機に設けられる番組情報告知装置であって、復調したディジタル信号から抽出した視聴番組の放送時間と視聴している番組の視聴時間を比較し、予め設定されている時間以上視聴し且つ視聴している番組が定期的に放送される番組であるときに、視聴している番組の次の放送時刻を算出してメモリに記録し、次の放送時刻に異なる番組を視聴しているとき、表示装置に対してメモリに記録している視聴した番組があることを告知する番組情報告知装置と番組情報告知方法である。【選択図】      図１
2009117936.tif 000002
【特許請求の範囲】
【請求項１】
ディジタル放送波を復調して表示装置から映像および音声を出力する受信機に設けられる番組情報告知装置であって、
復調したディジタル信号から抽出した視聴番組の放送時間と視聴している番組の視聴時間を比較し、予め設定されている時間以上視聴し且つ前記視聴している番組が定期的に放送される番組であるときに、前記視聴している番組の次の放送時刻を算出してメモリに記録する記録処理部と、
前記次の放送時刻に異なる番組を視聴しているとき、表示装置に対して前記メモリに記録した前記視聴している番組があることを告知する告知処理部と、
を具備することを特徴とする番組情報告知装置。
【請求項２】
前記記録処理部は、
前記復調したディジタル信号から、視聴中のチャンネルであるチャンネル情報と、視聴している番組の視聴時間を計測した結果である視聴時間情報と、視聴している番組の番組情報を取得し、
前記ディジタル信号から取得したデータに基づいて得られる前記視聴している番組の放送時間と前記視聴時間情報とを比較し、
所定の時間以上視聴している番組であり且つ定期的に放送されている番組であるかを判定し、
判定結果が前記所定の時間以上視聴している番組であり且つ定期的に放送されている番組であるとき、該番組の次の放送に合わせて告知設定時刻を生成しメモリに記録する、ことを特徴とする請求項１に記載の番組情報告知装置。
【請求項３】
前記告知処理部は、
視聴している番組のチャンネル情報と、前記記録処理部で記録した該番組のチャンネル情報を比較し、異なる番組を視聴しているとき、前記表示装置に前記メモリに記録した前記視聴した番組があることを告知する、ことを特徴とする請求項２に記載の番組情報告知装置。
【請求項４】
前記メモリに記録した番組の放映時間に、異なる番組を視聴しているとき、
前記メモリに記録した番組へのチャンネル変更があれば、前記表示装置への告知表示を消去することを特徴とする請求項３に記載の番組情報告知装置。
【請求項５】
前記メモリに記録した番組の放映時間に、該番組を視聴しているとき、
前記メモリに記録した番組の前記告知設定時刻を消去することを特徴とする請求項３に記載の番組情報告知装置。
【請求項６】
前記復調したディジタル信号から新規の番組に関する情報を取得し、視聴予定の番組がない場合には、前記メモリに記録した視聴している番組の情報を全て消去あるいは告示設定時刻を消去することを特徴とする請求項３に記載の番組情報告知装置。
【請求項７】
電源投入時、
前記告知設定時刻を過ぎた情報があるとき該情報を消去し、
次の告知タイミングに合わせた情報を生成して設定することを特徴とする請求項３に記載の番組情報告知装置。
【請求項８】
ディジタル放送波を復調して表示装置から映像および音声を出力する受信機の番組情報告知方法であって、
復調したディジタル信号から抽出した視聴番組の放送時間と視聴している番組の視聴時間を比較し、予め設定されている時間以上視聴し且つ前記視聴している番組が定期的に放送される番組であるときに、前記視聴している番組の次の放送時刻を算出してメモリに記録し、
前記次の放送時刻に異なる番組を視聴しているとき、表示装置に対して前記メモリに記録した前記視聴している番組があることを告知する、
ことを特徴とする番組情報告知方法。
【請求項９】
前記復調したディジタル信号から、視聴中のチャンネルであるチャンネル情報と、視聴している番組の視聴時間を計測した結果である視聴時間情報と、視聴している番組の番組情報を取得し、
前記ディジタル信号から取得したデータに基づいて得られる前記視聴している番組の放送時間と前記視聴時間情報とを比較し、
所定の時間以上視聴している番組であり且つ定期的に放送されている番組であるかを判定し、
判定結果が前記所定の時間以上視聴している番組であり且つ定期的に放送されている番組であるとき、該番組の次の放送に合わせて告知設定時刻を生成しメモリに記録する、ことを特徴とする請求項８に記載の番組情報告知方法。
【請求項１０】
視聴している番組のチャンネル情報と、前記記録処理部で記録した該番組のチャンネル情報を比較し、異なる番組を視聴しているとき、前記表示装置に前記メモリに記録した前記視聴した番組があることを告知する、ことを特徴とする請求項９に記載の番組情報告知方法。
【請求項１１】
前記メモリに記録した番組の放映時間に、異なる番組を視聴しているとき、
前記メモリに記録した番組へのチャンネル変更があれば、前記表示装置への告知表示を消去することを特徴とする請求項１０に記載の番組情報告知方法。
【請求項１２】
前記メモリに記録した番組の放映時間に、該番組を視聴しているとき、
前記メモリに記録した番組の前記告知設定時刻を消去することを特徴とする請求項１０に記載の番組情報告知方法。
【請求項１３】
前記復調したディジタル信号から新規の番組に関する情報を取得し、視聴予定の番組がない場合には、前記メモリに記録した視聴している番組の情報を全て消去あるいは告示設定時刻を消去することを特徴とする請求項１０に記載の番組情報告知方法。
【請求項１４】
電源投入時、
前記告知設定時刻を過ぎた情報があるとき該情報を消去し、
次の告知タイミングに合わせた情報を生成して設定することを特徴とする請求項１０に記載の番組情報告知方法。
【発明の詳細な説明】
【技術分野】
【０００１】
本発明は、ディジタル放送を視聴するときの視聴者へ提供するサービスの技術に関する。
【背景技術】
【０００２】
通常、視聴者がディジタルテレビなどの放送を視聴する場合、嗜好番組を選択するために、チャンネル切り替えを直接行うか、予め用意されている番組表を見て嗜好番組を探し出してからチャンネル切り替えをしている。
【０００３】
ところが、近年多チャンネル化が進み、視聴者が好みの番組を探し出すことが簡単にできなくなったため、放送番組をジャンル（スポーツ、ニュース、ドラマ、出演者等）分けするなどして番組を選択し易くする提案がされている。
【０００４】
ところが、従来の方式では視聴者に、主体的に好みの番組を探したいという意志がなければ、他の番組を見ている間に本当に見たい番組を見損ねるということがある。
特許文献１では、好みの番組を見ていなかったときに、アドバイス情報を画面または音声によって出力し、視聴者に注意を喚起するようにした受信装置が提案されている。
【０００５】
しかしながら、特許文献１は、視聴者の好みの番組について、曜日ごとに統計をとり把握し、視聴頻度がどの程度であれば好みの番組として特定すべきかの判断が困難であった。
【０００６】
例えば、視聴者が月曜の夜９時からは３チャンネルの連続ドラマをよく見ていたが、そのシリーズが終了し、次の週から視聴者が同じ時間帯の５チャンネルで放送されるスポーツ番組を視聴する。そして、該スポーツ番組が新たな好みの番組となる。このような場合、５チャンネルでの視聴頻度が過去の３チャンネルの視聴頻度を超えない限り、アドバイス情報を告知することができないという問題がある。
【０００７】
また、好みの番組が毎日同じ時間に放送されるような番組の場合でも、曜日ごとに統計データとして蓄積した情報からアドバイスされるため、的確に視聴者に告知することが困難である。
【特許文献１】特開平５−１７６２４３号公報
【発明の開示】
【発明が解決しようとする課題】
【０００８】
本発明は上記のような実情に鑑みてなされたものであり、視聴者に受動的にタイムリーに嗜好番組情報を告知する番組情報告知装置および番組情報告知方法を提供することを目的とする。
【課題を解決するための手段】
【０００９】
本発明の態様のひとつとしてディジタル放送波を復調して表示装置から映像および音声を出力する受信機の番組情報告知について示す。
復調したディジタル信号から抽出した視聴番組の放送時間と視聴している番組の視聴時間を比較し、予め設定されている時間以上視聴し且つ前記視聴している番組が定期的に放送される番組であるときに、前記視聴している番組の次の放送時刻を算出してメモリに記録する。
【００１０】
また、前記次の放送時刻に異なる番組を視聴しているとき、表示装置に対して前記メモリに記録した前記視聴している番組があることを告知する。
上記により、視聴者に受動的にタイムリーに嗜好番組情報を告知する。
【００１１】
また、メモリへの記録は、前記復調したディジタル信号から、視聴中のチャンネルであるチャンネル情報と、視聴している番組の視聴時間を計測した結果である視聴時間情報と、視聴している番組の番組情報を取得し、前記ディジタル信号から取得したデータに基づいて得られる前記視聴している番組の放送時間と前記視聴時間情報とを比較し、所定の時間以上視聴している番組であり且つ定期的に放送されている番組であるかを判定し、判定結果が前記所定の時間以上視聴している番組であり且つ定期的に放送されている番組であるとき、該番組の次の放送に合わせて告知設定時刻を生成しメモリに記録する。
【００１２】
また、告知は、視聴している番組のチャンネル情報と、前記記録処理部で記録した該番組のチャンネル情報を比較し、異なる番組を視聴しているとき、前記表示装置に前記メモリに記録した前記視聴した番組があることを告知する。
【００１３】
好ましくは、前記メモリに記録した番組の放映時間に、異なる番組を視聴しているとき、前記メモリに記録した番組へのチャンネル変更があれば、前記表示装置への告知表示を消去する。
【００１４】
好ましくは、前記メモリに記録した番組の放映時間に、該番組を視聴しているとき、前記メモリに記録した番組の前記告知設定時刻を消去する。
好ましくは、前記復調したディジタル信号から新規の番組に関する情報を取得し、視聴予定の番組がない場合には、前記メモリに記録した視聴している番組の情報を全て消去あるいは告示設定時刻を消去する。
【００１５】
また、電源投入時、前記告知設定時刻を過ぎた情報があるとき該情報を消去し、次の告知タイミングに合わせた情報を生成して設定する。
【発明の効果】
【００１６】
本発明によれば、視聴者に受動的にタイムリーに嗜好番組情報を告知することができる。
【発明を実施するための最良の形態】
【００１７】
（原理説明）
本発明は、ディジタル放送波を復調して表示装置から映像および音声を出力する受信機に設けられる番組情報告知するものである。
【００１８】
復調したディジタル信号から抽出した視聴番組の放送時間と、視聴している番組の視聴時間を比較する。そして、予め設定されている時間以上視聴していて、視聴している番組が定期的に放送される番組であるときに、視聴している番組の次の放送時刻を算出してメモリに記録する。
【００１９】
次の放送時刻に視聴していた番組と異なる番組を視聴しているときは、表示装置に対してメモリに記録した視聴した番組があることを告知する。
上記のようにすることにより、視聴者に対して特別な操作を要求しないで、受動的な視聴者が好みの番組を見損ねることを防ぐことができる。
【００２０】
システム構成がシンプルにできる。
統計データの蓄積を必要とせず、一度視聴した番組が次に放送されるタイミングでタイムリーに告知することができる。
【００２１】
以下図面に基づいて、本発明の実施形態について詳細を説明する。
（実施例１）
番組情報告知装置１は、アンテナ２、チューナ部３、インターフェイス部４、制御部５（チューナ制御部６、インターフェイス制御部７、映像処理部８、嗜好番組情報処理部９）、表示装置１０、メモリ１１から構成されている。
【００２２】
チューナ部３は、アンテナ２により受信した放送波（地上ディジタル放送など）を受信する。その後、受信した電波の中から、所望のチャンネルに対応する放送波を抽出した放送波を直交周波数分割多重処理により復調する。復調処理では、誤り訂正をし、多重化されているＴＳ（Transport Stream）を分離して音声ストリーム、映像ストリームおよびデータストリームを出力する。
【００２３】
インターフェイス部４は番組を選局するためのリモコンなどである。
制御部５はＣＰＵやプログラマブルデバイスなどを用いて、テレビ（番組情報告知装置１を備える）の動作を制御する。また、制御部５はチューナ制御部６、インターフェイス制御部７、映像処理部８、嗜好番組情報処理部９を有している。
【００２４】
チューナ制御部６は、上記チューナ部３の制御を行う。インターフェイス制御部７は、インターフェイス部４との通信などの制御や、インターフェイス部４からの利用者の指示に従い各部に指示をする。
【００２５】
映像処理部８は、インターフェイス部４の指示に従い選択され、復調されたディジタル信号を表示装置１０（モニタ）に転送する。また、そのディジタル信号に画像処理、音声処理、画像切替処理、音声切替処理などを実行する。
【００２６】
嗜好番組情報処理部９は、番組に関する情報をメモリ１１などに保存し、所定のタイミングで視聴者が設定した情報を取り出して映像処理部８を介して表示装置１０に出力する。また、視聴者が予め設定した番組に対する情報を表示装置１０に出力する。
【００２７】
表示装置１０は、映像処理部８から取得したディジタル信号に基づいて映像と音声を表示する。
メモリ１１は例えばＲＯＭ、ＲＡＭなどにより構成されている。上記各部の設定をするために必要な情報を記録するとともに、データや制御パラメータを記録する。
（動作説明）
嗜好番組情報処理部９の告知情報を記録する方法について説明する（記録処理部の処理）。
【００２８】
ステップＳ１は視聴者がテレビを視聴している状態である。視聴者は、インターフェイス部４により番組を選択し、選択したチャンネルに対応する放送をチューナ部３により復調し、その復調したディジタル信号に基づいて表示装置１０に表示される画像および音声を視聴している。
【００２９】
ステップＳ２では、チャンネル情報、視聴時間情報、番組情報をメモリ１１に記録する。
チャンネル情報は、現在選択されているチャンネルの情報を有している。視聴時間情報は、番組の視聴を開始した視聴を終了した時刻を有している。番組情報は、番組名、シリーズ情報などが記録されている。例えば、毎日、毎週放送、隔週放送、特別番組などの放送がどのような間隔で放送されるか記録されている。
【００３０】
また、チャンネル情報はリモコンで選択されたチャンネルを直接取得してもよい。視聴時間情報は、チャネルが変更されるごとに、予め用意されているタイマや時計ＩＣなどから時刻情報を取得して記録する。
【００３１】
なお、視聴者によってはコマーシャルなどがあると小刻みにチャンネルを切り替えていることが考えられるため、予め切替時間を設定し、この切替時間内にもとのチャンネルに戻った場合、他のチャンネルに切り替えたと判断しなくてもよい。
【００３２】
また、地上ディジタル放送においては、番組情報をＥＰＧ（電子番組情報）などから取得することができる。
図３（Ａ）はメモリ１１に記録するチャンネル情報、視聴時間情報、番組情報のデータの構造を示す図である。
【００３３】
図３（Ａ）の太枠内は、現在視聴されている番組のチャンネル情報、視聴時間情報、番組情報を示している。「チャンネル」には「８」、「視聴時間情報」の「開始日時」と「終了日時」には、それぞれ「２００７  ５／０１  ２１：００」と「２００７  ５／０１  ２１：５８」、「番組情報」の「番組名」「シリーズ情報」「その他」には、それぞれ「ドラマ」「毎週」「３／１１話」が保存されている。
【００３４】
図３の太枠以外は過去に視聴したチャンネル情報、視聴時間情報、番組情報を示している。この過去に視聴したこれらの情報は一時的に記録し、後述するステップＳ５の処理を完了後消去してもよい。
【００３５】
ステップＳ３では、選択した番組の放送時間の所定の放送時間以上視聴したかを判定する。所定の放送時間以上視聴している場合はステップＳ４に移行する。視聴していない場合はステップＳ２に移行する。ステップＳ２の現在視聴されている番組のチャンネル情報、視聴時間情報に基づいて判定を行う。
【００３６】
図２のフロー図では選択された番組を８０％以上視聴したときにＳ４に移行する。
放送時間との比率で判定する場合は、式１に示すように視聴率値を計算をし、その計算結果に従って判定を行う。
視聴率値＝（（視聴終了時刻−視聴開始時刻）／放送時間）×１００      （式１）
番組の放送時間はＥＰＧなどから取得する。また、同じ番組の放送時間内で何度かチャンネルを変えているときは、同じ番組を視聴していた時間を合計し、式１の（視聴終了時刻−視聴開始時刻）の替わりに用いてもよい。
【００３７】
ステップＳ４ではシリーズ番組かを判定する。シリーズ番組であればステップ５に移行する。シリーズ番組でない場合はステップＳ２に移行する。
図３（Ａ）に示すように「シリーズ番組」の「毎週」「毎日」（土、日を除いた毎日なども含む）などを検出する。
【００３８】
ステップＳ５では、ステップＳ４の判定に基づいて、嗜好番組と判断された番組のチャンネル情報、視聴時間情報、番組情報をメモリ１１に記録する。また、記録した番組に対応した次の放送時刻に合わせた告知設定時刻をセットする。
【００３９】
図３（Ａ）の矢印で示した番組は特別番組で一回限りの放送であるため記録しない。
図３（Ｂ）はメモリ１１に記録するチャンネル情報、視聴時間情報、番組情報のデータ、告知設定時刻の構造を示す図である。
【００４０】
図３（Ｂ）では、チャンネル情報として、「チャンネル」に地上ディジタルの放送局固有のチャンネルに対応した番号を振り分けている。視聴時間情報には、視聴開始時刻として年月日が記録される。また、視聴終了時刻として同じように年月日を記録する。なお、ここでは視聴開始時刻と視聴終了時刻を記録したが視聴時間を記録してもよい。図３（Ｂ）では番組情報として、番組名とシリーズ情報が記録されている。
【００４１】
告知設定時刻は、視聴者に番組に関する情報を告知する時刻が設定されている。図３（Ｂ）では、それぞれの番組の放送開始前５分前に告知するように設定がされている。
さらに、視聴者が告知された番組を選択しない場合に所定の間隔ごとに再度告知を行うようにしてもよい。
【００４２】
嗜好番組情報処理部９の告知情報を告知する方法について説明する（告知処理部の処理）。
ステップＳ６は、告知設定時刻に記録されている時刻になるまで待機する。なお、電源起動時に不要な情報はクリアする。
【００４３】
ステップＳ７では、視聴しているチャンネルとメモリ１１に記録されている現在の番組のチャンネル情報を比較する。比較した結果、同じチャンネルであればステップＳ８に移行する。異なる場合ステップＳ９に移行する。
【００４４】
ステップＳ８では、表示装置の告知情報の表示を消す。また、現在視聴している番組のチャンネル情報、視聴時間情報、番組情報のデータ、告知設定時刻のデータを消去する。その後、ステップＳ６に移行する。
【００４５】
ステップＳ９では嗜好番組が放送中であることを画面の一角に表示する。図４に表示例を示す。例えば、「１チャンネルで○○放送中です」などの告知をする。なお、図４に示す表示に限定するものではない。
【００４６】
ステップＳ１０では、視聴者がチャンネル変更をしたかを判断する。チャンネル変更がされていればステップＳ７に移行する。変更されていなければステップＳ１１に移行する。
【００４７】
ステップＳ１１では、告知情報を表示してから一定時間経過したことを検出するか、視聴者により告知情報の表示を消去する操作が行われたかを判定する。
上記条件が判定された場合はステップＳ８に移行し、それ以外の場合にはステップＳ１０に移行する。
【００４８】
なお、表示時間は視聴者によって調整できるようにしてもよいし、嗜好番組の終了時刻になった場合、告知表示を消去してもよい。
このように、視聴者に主体となって告知情報を見るのではなく、受動的な視聴者に対して、付加的情報をタイムリーに提供することができる。定期的に放送される番組を視聴した場合に、次に放送されるタイミングでタイムリーに視聴者に告知することで、受動的な視聴者が好みの番組を見損ねることを防止する。
【００４９】
なお、一度でも視聴した番組であれば、毎日放送されるような番組でも、次の放送タイミングで告知可能である。
情報の記録は必要な情報のみを取捨選択して取り込むため、膨大な統計データを蓄積する必要もなくシンプルな構成になる。
（実施例２）
嗜好番組がタイマ時刻に放送予定があるかどうかをより確実にするための方法について説明する。
【００５０】
ディジタル放送ではＥＰＧが送信されるため、嗜好番組としてメモリ１１に記録された番組が、記録されたとおりの時刻に放送されるかどうかを確認する。そこで、違う番組が放送される予定となっていることを予め検知した場合には、登録の情報を削除することも有効である。
【００５１】
図５に実施例２のフロー図を示す。このフロー図に示すステップＳ５２〜Ｓ５５を実施例１に示した図２のフロー図のステップＳ５の後に設ける。
ステップＳ５１は視聴者がテレビ視聴中であることを示している。ステップＳ５２ではＥＰＧデータを取得する。
【００５２】
ステップＳ５３では新規のＥＰＧデータであるかを判定する。新規のＥＰＧデータであればステップＳ５４に移行する。ステップＳ５１（図２のＳ１）に移行する。例えば、所定の間隔で受信したディジタル信号からＥＰＧデータを取得する。
【００５３】
ステップＳ５４では、新規に取得したＥＰＧデータと、嗜好番組として記録されたチャンネル情報、視聴時間情報、番組情報、告知設定時刻のデータとを比較し、該嗜好番組がＥＰＧに示される放送予定番組にあるかを判定する。ある場合はステップＳ５１（図２のＳ１）に移行する。ない場合はステップＳ５５に移行する。
【００５４】
ステップＳ５５では、上記嗜好番組に対応するチャンネル情報、視聴時間情報、番組情報、告知設定時刻のデータをメモリ１１から消去する。
このようにすることで、嗜好番組として記録する放送予定時刻の正確性が確保される。
（変形例１）
シリーズ番組の付加的情報を告知する。
【００５５】
図３の「その他」に示すように、ディジタル放送ではシリーズ番組の情報として、番組総数、話数等の情報を取り込むことが可能である。それらをもとに何話中の何話目かを表示させ、ユーザの満足度を向上させる。
【００５６】
さらに、最終回には特別な通知をする。例えば、表示を目立たせることや警告音を出すなどを行う。
このようにすることにより情報付加による視聴者の満足度向上させることができる。
（変形例３）
関連情報の取り込みについて説明する。
【００５７】
不定期の放送番組であっても、放送データとともに関連番組の情報等が含まれる場合、関連する番組を記録する。そこで、不定期番組でも嗜好番組に登録する。
例えば、「関連番組の○○特集が△△月××日＊＊時から放送予定」などの表示を行う。
（実施例４）
告知時刻にテレビの電源が入っていない場合の処置について説明する。
【００５８】
タイムリーに嗜好番組を登録するため、嗜好番組を告知したにもかかわらず別の番組を試聴した場合は、次の予告は最新視聴番組をベースに行われる。
告知時刻に電源が未投入の場合は、タイマを自動調整する。例えば、５／１  ８：００〜８：３０放送予定のA番組がセットされている状態で、その時刻に電源投入がされなかった場合、毎週放送という情報から次の放送予定を再計算し、５／８  ８：００〜８：３０の放送予定としてタイマを更新する。
【００５９】
図６にフロー図を示す。
ステップＳ６１は電源が投入されたことを示している。
ステップＳ６２では、嗜好番組の記録に告知設定時刻を過ぎても（古い）データがあるかを判定する。ある場合はステップＳ６３に移行する。ない場合は次の処理に移行する。
【００６０】
ステップＳ６３では、次の告知タイミングでチャンネル情報、視聴時間情報、番組情報、告知設定時刻のデータ更新を行う。
上記により、視聴者が何か用事があってテレビを見ることができなかった場合でも、タイマを自動更新することにより、再度次のタイミングで告知してくれる。
【００６１】
なお、本発明によれば上記実施例のフローに示した制御処理は、その制御処理を遂行させる命令が記述されたプログラムをコンピュータに実行させることにより実現することができる。
【００６２】
また、このプログラムをＣＤ−ＲＯＭなどの記憶媒体に記憶しておけば、コンピュータに、そのプログラムをインストールすることにより、制御処理を実現することができる。
また、このプログラムを通信ネットワークを介してコンピュータにダウンロードしてもよい。
【００６３】
また、本発明は、上記実施の形態に限定されるものでなく、本発明の要旨を逸脱しない範囲内で種々の改良、変更が可能である。
【図面の簡単な説明】
【００６４】
【図１】実施例１の構成を示すブロック図である。
【図２】実施例1の嗜好番組情報処理部の動作を示すフロー図である。
【図３】（Ａ）メモリに記録するチャンネル情報、視聴時間情報、番組情報のデータ構造を示す図である。（Ｂ）メモリに記録するチャンネル情報、視聴時間情報、番組情報、告知設定時刻のデータのデータ構造を示す図である。
【図４】表示装置の告知場所の一例を示す図である。
【図５】実施例２の動作を示すフロー図である。
【図６】実施例３の動作を示すフロー図である。
【符号の説明】
【００６５】
１  番組情報告知装置
２  アンテナ
３  チューナ部
４  インターフェイス部
５  制御部
６  チューナ制御部
７  インターフェイス制御部
８  映像処理部
９  嗜好番組情報処理部
１０  表示装置
１１  メモリ
【図１】
2009117936.tif 000003
【図２】
2009117936.tif 000004
【図３】
2009117936.tif 000005
【図４】
2009117936.tif 000006
【図５】
2009117936.tif 000007
【図６】
2009117936.tif 000008